(57)【要約】      （修正有）【課題】危険な原発の事故を繰り返さない為に考えた、浮力の力を生かして発電するシステムである。又、安全で、クリーンで、ローコストで、化石燃料を使用しない、危険な科学反応を必要としない、稼動に大きな外部電源が必要なく、場所ゃ地域を選ばず、メンテナンスがし易い事を課題としている。【解決手段】空気ゃ（酸素）ヘリームガスなどの入った球を水槽内の下の水中に突然放出し放出された球は自然エネルギーの浮力によって上昇する、其の上昇する浮力、力をＥ＆Ｊ（チエンベルト・荷受パンタグラフ）で回収して回転に変化させその回転に増幅機．や減速機を持ちえて回転に変化を加えて発電機を回し２４時間安定して発電するシステムである。蓄電池設備などを併用事で外部電源は不要になる。システム、ユニット型で工場生産可能な為設置は早期完成が可能であ。【選択図】図１
2014141956.tif 000002
【特許請求の範囲】
１  特許名  浮力式発電
２  特許請求の範囲
▲０１▼  ▲Ｂ▼ポート内の▲Ｄ▼球を▲Ｆ▼コントロールレバーによって調整され▲Ｓ▼ポートに入るシステム
▲０２▼  ▲Ｓ▼ポートに入った▲Ｄ▼球が▲Ｏ▼ローターによって出口に移動し▲Ａ▼ポート内に排出されるシステム
▲０３▼  ▲Ｏ▼ロータＫポートから排出された▲Ｄ▼を▲Ｇ▼のコントロールレバーで▲Ａ▼ポート内に▲Ｊ▼に合わせて放出させるシステム
▲０４▼  ▲Ａ▼ポート内を浮力で上昇する▲Ｄ▼球力を▲Ｅ▼と▲Ｊ▼で回収して回転に変化させるシステム
▲０５▼  ▲Ｎ▼モーターは○ウオータープール  やシスタンク内の水が規定値以上に成った場合自動に排水量を自動的に増減排水を行うシステム
▲０６▼  ▲Ｄ▼球が通常の大気圧の状態から突然水圧のかかる水中に放出する事によって発生す大気圧と水圧の差を（浮力）を（１００／０関係）の力を捕らえて回転に変化させるシステム
▲０７▼  ▲０５▼の電子制御マグネット、システムで▲Ｇ▼、▲Ｆ▼の作動をコントロールをしているシステム
▲０９▼  ▲Ｖ▼、▲Ｗ▼のメンテナンス、ダンパーの開閉で、▲Ｄ▼球のメンテナンスを軽微にするシステム
2014141956.tif 000006
▲１１▼  ▲Ｏ▼の回転移動によって下に移動した▲Ｄ▼球を▲Ｋ▼、ストレスピストン▲Ｓ▼側と▲Ｔ▼側の重量と▲０６▼のリターンスプリングの力で▲Ｄ▼を▲Ａ▼ポート内に押し出すシステム
▲１２▼  ▲Ｏ▼ローターと外郭ハウジンクの隙間やストレスピストンに付着して▲Ｕ▼ウオータープール内に溜まる水を▲Ｙ▼のシスタンクに溜めて▲Ｎ▼のリターンポンプで▲Ｒ▼リターンパイプを介して▲Ａ▼ポート内に排出して▲Ｄ▼の上昇を助けるシステム
▲１３▼  ▲Ｍ▼モーターハブをフリーホイルにして浮力発電が自力回転した場合そのドライブ関係の回転は発電に逆使用されるシステム
▲１４▼  ▲Ｍ▼始動モーターによって当設備が本稼動発電に入ると発電を感知しリレー等の働きで▲Ｍ▼モーターが停止するシステム
▲１５▼  蓄電池を使用する事で本考案システムが、外部から電源を供給せず完全に自力運転が可能な出来るシステム
浮力発電に関係する文献は下記の通りである。
特許文献番号
特開２０１２−１０２７１８            特開２００２−１３８９４４
特開２０１２−０５２５１９            特開２００２−０５４５５０
特開２０１１−２３０７４６            特開２００３−３６７７４６
特開２０１０−２７６００８            特開２００３−２７６５２８
特開０７−０３４７０１再公表          特開２００２−０２１７０１
特開２００８−３０３８６５            特開２０００−３３７２４２
特開２００８−２１５３３４            特開２０００−０５４９４６
特開２００７−２３９７２６            特開１９９８−１９６５１１
特開２００６−２６６２５１            特開１９９６−０６１２０９
特開  ２００４−３４６９４１          特開１９９６−００４６４４
特開２００４−１９７７３２            特開１９９５−００７９９６
特開２００４−１５０４１８            特開１９９３−２２１８１７
特開２００４−１４４０６４            特開２００７−０３４７０１
特開２００４−０９２６３０            特開２００３−１１３７６８
特開２００３−１２０３２１            特開  ２０１３−２４４０
特開２００３−１１３７６８            特開  ２０１２−２３７３０２
特開２００２−３７１９５０            特開  ２０１０−２７６００８
特開２００２−３１７７４６            特開平成５−３２１８１７
特開２００２−２７６５２８            実用  ２００８−８２４８
実用  ２００２−３７７３
上記の様に浮力発電に関係する文献は数多くあるが、現実に製造し稼動するには大変むずかいし物や、製造するに当たっては多額の資金が必要であ物もある、多額の資本を用えて製造されたとしても稼働率（発電効率）悪くて市販がむずかしい物も多くみられる。
又、浮力で発電する為に別の電源を常時使用してコンプレッサーなど回したりしたのでは自家消費電気が多く成り浮力発電の効果が少なく成ると浮力発電の意味がないと思われる。
本考案は、上記文献に類似した部品ゃ部分、物、システムはひとつも無いので上記の文献との比較説明は必要ないものと思われる。
【発明の詳細な説明】
【技術分野】  真水や海水と浮力を利用して天候や災害に左右されずに昼夜安定的に浮力によって発電し、電力を２４時間発電し安定供給出来るようにした装置に関係する。
【背景技術】  文献の件数が多いので別紙記載とする。Ｐ２４へ
【発明の開示】
【考案が解決しょうとする問題】
平成２３年３月１１日に起きた東日本大震災により東京電力福島第一原子力発電所の爆発によって放射能が飛散し多くの人が被爆し大変な問題が起きている現在において原子炉の解体や被爆した人達に対して解決が出来ない問題が現在進行中ある、こんなこ危険なものは早急に全国すべての原発の廃炉にする事が必要である、しかし、この様な状況においてもまだ原発の代替発電装置がないのが現状である。
安全で天候に左右されず２４時間．コストも低く．発電出来るシステムの開発が急務である。
本考案は、脱、化石燃料や危険な脱、原発など危険な科学反応を使用しないで発電、安心でクリーン  ．ローコスト（ランニングコスト）である事、安定して２４時間発電する装置である事、必要におおじて小型から大型設備まで出来る事、地域や設置場所を選ばない事．設置工事が簡単である事、安価である事設置できる事、メンテナンスが簡単である事。
長期に渡る完全自家発電の確立
【課題を解決する手段】
本考案にかかわる浮力式発電は、水と、空気、（酸素）ヘリユームガスの入った球を水圧の中に突然放出して自然エネルギーの原点である浮力を生かし、空気球ゃガス球が浮力で上昇する力を本考案の設備で回収し、其の力を回転に変化させて滑車や減速機、増速機、その他の機器などを利用して発電機を回して発電するシステムである。（蒸気タービンを回して発電するシステムから卒業する事からはじまる。）浮力は、どんな大きな船でも持ち上げる、その巨大な力を生かす事
解決方法は、下記の通りである。
▲Ｂ▼ポート内にある▲Ｄ▼が▲Ｆ▼の作動によって重力で下へ落下し▲Ｏ▼ローター内▲Ｓ▼ポート内に入る、▲Ｏ▼ローターは▲Ｍ▼モーターの回転によって左に回り▲Ｓ▼ポートが下へと向かう、▲Ｏ▼ローターの▲Ｓ▼ポート部分が時計の３５分から３０分の位置に来ると▲Ｋ▼のストレスピストンの重力と▲０６▼のリターン．スプリングの力で下に圧力をかけて▲Ｄ▼を放出する。放出された▲Ｄ▼は浮力と▲Ｎ▼リターンポンプから放出される水圧によって▲Ａ▼ポート内を上昇する。上昇する▲Ｄ▼
2014141956.tif 000003
を回す、発電機を回す力は▲Ｄ▼の数によって増減するが▲Ｄ▼の数や設備の並列連結によって発電力は無限大である。▲Ｄ▼の数を増やす場合には高さが必要となる。又、▲Ｄ▼のサイズを大きくすれば設置面積が多く必要となるがいずれも発電量も多くなる。
始動時は、外部電源▲Ｍ▼モーターを使用するが始動後は浮力によって自力で回転する為運転時は外部電源は使用しない。又、▲０８▼の蓄電設備（バッテリーを併用すれば外部電源は不要となる事。Ｎモーターは、シスタンクの水量が規定値に差が生じた場合自動的に排水量を増減する。
▲０８▼の蓄電設備を併用する場合には始動時に電源のない場所でも使用でき稼動後は発電した電気で蓄電し自力稼動が可能な事。
解決テーマ
ａ本考案システムは、組立式で水槽式なので河川や海などを必要としない事、
ｂ  安全で無害、クリーンで設置地域や場所を選ばないで設置できる事。
ｃ又、蓄電池を利用すれば燃料や外部電源も特別必要ない事
ｄ  ランニングコストも安価である事、
ｅ  構造と必要部品が簡単でメンテナンスコストも安くすむ事。
ｆ  海などに巨大な設備をすれば巨大な電機を生む事ができる。
ｇ  小型でも浮力を最大限に生かして発電力を高める事
ｈ  浮力．力の自家消費損失を少なくする設計である事
ｉ  必要な分だけ連結．増設が出来る事
ｊ  構造が簡単である事
本考案は、上記問題を解決した
【発明を実施する為の形態】
本発明の浮力式発電について
【実施例１】  図面を持ちえて説明する。
【符号の説明】  図面００１
Ａ    ポート
Ｂ    ポート
Ｃ    水．海水
Ｄ    空気．（酸素）．ヘリュウムガスの球．
Ｅ    チエンベルト
Ｆ    球．落下防止コントロールレバー
Ｇ    球．上昇コントロール．レバー
Ｈ    水面  上部
Ｉ    シール防水
Ｊ    荷受パンタグラフ
Ｋ    ストレスピストン
Ｌ    水面下
Ｍ    始動モーター
Ｎ    リターンポンプ
Ｏ    ローター
Ｐ    トップ．回転軸  発電機接続
Ｑ    リターンスプリング
Ｒ    リターンパイプ
Ｓ    ポート  ．上．
Ｔ    ポート  下
Ｕ    ウオータープール
Ｖ    メンテナンスダンパー上
Ｗ    メンテナンスダンパー下
Ｘ    センターシャフト
Ｙ    シスタンク
Ｚ    ベアリング
Ｐ１  下．回転軸
０１  シールハウジング
０２  ストロングロット
０３  コントロールブラケット
０４  始動ギヤ
０５  電子制御マグネット
０６  リターンスプリング
０７  メンテナンスブレーキ
０８  バッテリー
０９  リレー
図００１で説明する。
初期始動時に▲Ｍ▼始動モーターが回転すると、▲Ｂ▼ポート内にある▲Ｄ▼が▲Ｆ▼にコントロールされて▲Ｓ▼ポート内に落下して入る、▲Ｍ▼モーターの回転によって右に回転して下に向かう、ローターが真下に近くなると▲Ｋ▼が重力とリターンスプリング▲０６▼によって▲Ｄ▼を下に押して▲Ｔ▼ポートから▲Ｄ▼を押し出す。押し出された▲Ｄ▼は浮力とリターンポンプ  ▲Ｎ▼から排出される水圧によって▲Ａ▼ポート内を浮上する▲Ｄ▼の浮上するタイミングをコントロールレバー  ー  ▲Ｆ▼と▲Ｇ▼のコントロールレバーでバランス  を取りＥチエンベルトに▲Ｄ▼を同調させる。▲Ｇ▼のコントロール．レバーは電子制御装置とアナログ式がある。図００４はアナログ式．図００８は電子制御式▲Ｄ▼が上昇して水面に到達した場合Ｊのパンタグラフにのり回転によって▲Ｂ▼ポート上部にはこばれる。
Ｂポート上部に運ばれた▲Ｄ▼は重力によって▲Ｂ▼ポート内に再び下へと落ちていくＤの浮力で生まれた浮力．力はチエンベルト▲Ｅ▼と荷受パンタグラフＪによって回収されて回
2014141956.tif 000004
を発電可能な領域に回転させて発電させるシステムである。
2014141956.tif 000005
電子制御  コントローラーは、荷受ダンパー、チエンベルト、カイテン軸▲Ｐ１▼などに取付られた受光部と外郭部に取付られた光送信部で管理し▲Ｇ▼をコントロールして▲Ｄ▼の放出をする。（電子制御の場合）
０８．０９は自立運転の為のバッテリー
【産業上の利用可能性】  平成２３年３月１１日に起きた東京電力福島第一原子力発電所の爆発によって飛散した放射能によって福島県人はもとより近隣の県ゃ他県でも放射能が飛散して多くの国民が被爆し将来を不安とともに生きていくしかない現実、特に、被災地福島県は、被爆と風評被害で県内の企業や農業生産物も販売出来ない状況にある、爆発以来２年に成ろうとしている現在でも除染も進まず、除染して１ヶ月くらいで元の汚染状態に戻ってしまうし、山や雑種地は手付かずの状態で現在も二年前と状況があまり変わりがない、福島県の再起は遠い．遠い先の話である。
今すぐにでも、日本にある原発のすべてを停止や廃炉をしなければならないのが現実である、しかし、政府は、もう痛みを忘れて再稼動や新設を話しを論じているは非常に残念である。今後は、絶対、福島県のような大惨事を起こさない様にしなければ成らない。
しかし、現実を見れば、原子力に変わる発電は、火力、風力、水力、ソーラー発電以外に発電システムがないのも現状であって風力やソーラー発電は発電条件があり不安定である。安全で、ローコストで、２４時間安定した発電をする次世代の発電システムの開発が急務である。化石燃料もいずれ枯渇してエネルギー戦争も起きないと考えられる。
本考案は、上記の問題を解決すべく考え出したシステムでる。小規模から大規模まで、場所を選ばず、地域選ばず、クリーンで安全、ローコスト、化石燃料も不要である。科学反応による危険もな、大量の水も必要ない、地産地消の考え方を基本として取り組み、安価で出来るシステムであれば日本はもとより海外の砂漠地帯で、電気もない、水もない所でも発電が可能なため本製品が完成すれば市場はかなり有ると思われる。
当システムは原子力発電みたいな爆発的な力はないが、危険度は１００パーセントないと言っても過言ではない、其の為、都市の真ん中で反対される事は無いと思われる、小規模から中規模まで可能なので地産地消に向いている。
2014141956.tif 000007
2014141956.tif 000008
2014141956.tif 000009
2014141956.tif 000010
2014141956.tif 000011
2014141956.tif 000012
2014141956.tif 000013
2014141956.tif 000014
2014141956.tif 000015
2014141956.tif 000016
2014141956.tif 000017
【手続補正書】
【提出日】平成25年9月18日(2013.9.18)
【手続補正１】
【補正対象書類名】特許請求の範囲
【補正対象項目名】全文
【補正方法】変更
【補正の内容】
【特許請求の範囲】
【請求項１】
Ｂポート内のＤ球をＦのコントロールレバーによってＳポートに入れるシステム
【請求項２】
Ｓポートに入ったＤ球がＯローターによって出口に移動しＡポート内に排出されるシステム
【請求項３】
ＯローターのＫポートから排出Ｄ球をＧのコントロールレバーでＡポト内にＪに合わせて放出するシステム
【請求項４】
Ａポート内を浮力で上昇するＤ球の浮力をＥとＪで回収して回転に変化させるシステム
【請求項５】
ＮモーターがＵウォータープールやＹのシスタンク内の水が規定以上になった場合に其の水をＮモーター介して自動的にＣの場所に戻すシステム
【請求項６】
Ｄ球が大気圧の状態から水圧のかかる水中に突然放出して大気圧と水圧の差を浮力として変化させ其の浮力の力を回収し回転動力を得るシステム
【請求項７】
０５の電子制御マグネットによってＧＦ  の作動をコントロールをしＤ球の放出するタイミングを調整しているシステム
【請求項８】
Ｖ．Ｗのメンテナンスダンパー開閉装置でＤ球のメンテナンスを軽微にしているシステム
【請求項９】
Ｏの回転移動によって下に移動したＤ球をＫのストレスピストンでＳ側とＴ側の重量の差と０６のスプリングの力でＤをＡポート内に押し出すテステム
【請求項１０】
Ｏのローター外郭ハウジンクの隙間やストレスピストンに付着してＵのウォータープール内に溜まる水をＹのシスタンクに溜めてＮのリターンポンプによってＲのリターンパイプを介してＡポート内に排出してＤの上昇を助けるシステム
【請求項１１】
Ｍモーターの軸に逆回転時の接続カット、フリーホイル取付る事で浮力発電が自力回転した場合にＭモーターの逆回転を防止しているシステム
【請求項１２】
浮力発電の始動時にＭモーターで始動するが浮力発電が自力稼動発電を開始するとＭモーターはリレー等の働きで回転は停止するシステム。
【請求項１３】
浮力発電が自力回転、発電を開始すると他の力を借りずに完全自力運転となるシステム。
【請求項１４】
浮力発電の初期稼動時に必要な電力を蓄電池でまかなう事で公共の電力がない場所でも使用できるシステム
【請求項１５】
本、浮力式発電は、水中を上昇する複数Ｄ球の力を同時にとらる事で巨大な力を得て回転に変化させ発電するシステム。
【請求項１６】
本、浮力式発電は、球の数、又は、球の大きさを変える事で小発電から大規模発電まで対応できるシステムである。
【手続補正２】
【補正対象書類名】明細書
【補正対象項目名】全文
【補正方法】変更
【補正の内容】
【発明の詳細な説明】
【技術分野】真水や海水、空気と水圧を利用して天候に左右されずに、又、場所や地域を選ばず昼夜２４時間安定して電気を発電し供給するシステムに関係する。
【発明が解決しょうとする課題】
平成２３年３月１１日に起きた東日本大震災により東京電力福島第一原子力発電所の爆発によって放射能が飛散し多くの人が被爆し大変な問題が起きている現在において原子炉の解体や被爆した人達に対して解決が出来ない問題が現在進行中ある、こんなこ危険なものは早急に全国すべての原発の廃炉にする事が必要である、しかし、この様な状況においてもまだ原発の代替発電装置がないのが現状である。
安全で天候に左右されず２４時間．コストも低く．発電出来るシステムの開発が急務である。
本発明は、脱、化石燃料や危険な脱、原発など危険な科学反応を使用しないで発電、安心でクリーン．排気ガスを出さない  ．ローコスト（ランニングコスト）である事、安定して２４時間発電する装置である事、必要におおじて小型から大型設備まで出来る事、地域や設置場所を選ばない事．設置工事が簡単である事、安価である事、メンテナンスが簡単である事。
長期に渡り安全で完全な自家発電が出来る事。
【課題を解決する手段】
本発明にかかわる浮力式発電は、水と、空気、（酸素）ヘリュームガスの入った球を水圧の中に突然放出して自然エネルギーの原点である浮力を生かし、空気球やガス球が浮力で上昇する力を本発明の設備で回収し、其の力を回転に変化させて滑車や減速機、増速機、その他の機器などを利用して発電機を回して発電するシステムである。（蒸気タービンを回して発電するシステムから卒業する事からはじまる。）浮力は、どんな大きな船でも持ち上げる、その巨大な力を生かす事
解決方法は、下記の通りである。
2014141956.tif 000018
きくすれば設置面積が多く必要となるがいずれも発電量も多くなる。
2014141956.tif 000019
なる事。Ｎモーターは、シスタンクの水量が規定値に差が生じた場合自動的に排水量を増減する。
2014141956.tif 000020
電気で蓄電し自力稼動が可能な事。
解決テーマ
ａ  本発明システムは、組立式で水槽式なので河川や海などを必要としない事、
ｂ  安全で無害、クリーンで設置地域や場所を選ばないで設置できる事。
ｃ  又、蓄電池を利用すれば燃料や外部電源も特別必要ない事
ｄ  ランニングコストも安価である事、
ｅ  構造と必要部品が簡単でメンテナンスコストも安くすむ事。
ｆ  海などに巨大な設備をすれば巨大な電機を生む事ができる。
ｇ  小型でも浮力を最大限に生かして発電力を高める事
ｈ  浮力．力の自家消費損失を少なくする設計である事
ｉ  必要な分だけ連結．増設が出来る事
ｊ  構造が簡単である事
以上の問題を本発明は解決した
【産業上の利用可能性】  平成２３年３月１１日に起きた東京電力福島第一原子力発電所の爆発によって飛散した放射能によって福島県人はもとより近隣の県や他県でも放射能が飛散して多くの国民が被爆し将来を不安とともに生きていくしかない現実、特に、被災地福島県は、被爆と風評被害で県内の企業や農業生産物も販売出来ない状況にある、爆発以来２年に成ろうとしている現在でも除染も進まず、除染して１ヶ月くらいで元の汚染状態に戻ってしまうし、山や雑種地は手付かずの状態で現在も二年前と状況があまり変わりがない、福島県の再起は遠い．遠い先の話である。
今すぐにでも、日本にある原発のすべてを停止や廃炉をしなければならないのが現実である、しかし、政府は、もう痛みを忘れて再稼動や新設を話しを論じているは非常に残念である。今後は、絶対、福島県のような大惨事を起こさない様にしなければ成らない。
しかし、現実を見れば、原子力に変わる発電は、火力、風力、水力、ソーラー発電以外に発電システムがないのも現状であつて風力やソーラー発電は発電条件があり不安定である。安全で、ローコストで、２４時間安定した発電をする次世代の発電システムの開発が急務である。化石燃料もいずれ枯渇してエネルギー戦争も起きないと考えられる。
本発明は、上記の問題を解決すべく考え出したシステムでる。小規模から大規模まで、場所を選ばず、地域選ばず、クリーンで安全、ローコスト、化石燃料も不要である。科学反応による危険もな、大量の水も必要ない、地産地消の考え方を基本として取り組み、安価で出来るシステムであれば日本はもとより海外の砂漠地帯で、電気もない、水もない所でも発電が可能なため本製品が完成すれば市場はかなり有ると思われる。
当システムは原子力発電みたいな爆発的な力はないが、危険度は１００パーセントないと言っても過言ではない、其の為、都市の真ん中で反対される事は無いと思われる、小規模から中規模まで可能なので地産地消に向いている。
【図面の簡単な説明】
【図１】を持ちえて説明する。Ｍ  モーターが回転を始めると同時にＯローターも回転しチエンベルトも上昇をはじめる。ＴポートからＤ球がＡポート側に浮上し始める。一度Ｇコントロールレバーで止まりＥチェンベルトの回転速度に合わせられて放出される。  放出されたＤ球は順序良くＥの荷受パンタグラフのバーで止まりＥのチエンベルトを浮力上昇作用によって上に持ち上げる。他のＤ球も同時に同じ動作をする事で上昇する力（浮力）が増大になり大きな力を一度に得る事が出来る。上昇する力は、Ｅチエンベルトに回収されＰ．Ｐ１の回転軸によって回転に変化する。ＯローターやＤ球に付着した水がＵのウオータープールに溜まると自然にＹのシスタンクに溜まりその溜まった水をＮのリターンポンプがＲパイプを介し水槽Ａ側に噴射してＤ球の上昇を助ける。
【図２】の説明  Ｖ．Ｗ．Ｗ１  のメンテナンス、ダンパーの採用でＤ球の欠損など点検管理やＤ球の取替え、又、初期取付時の作業性などを良くしている。
【図３】の説明、断面図１で稼動時の追加説明、稼動時について図１ではＤ球のコントロ  ールをアナロク式にした図面であるがここでわＤ球のコントロールを電子式構造に変化させた構造である。図３の  Ｏローターが回転するとＴポートから排出されたＤ球がＧやＦのレバーが、０５０  ．０５  の電子制御マグネットの作動によって動きＤ球をコントロールして適性時に放出する。又、０８の蓄電池を使用してＭモーターを稼動させる事で公共の電気は無くても自立運転が可能となり公共の電源が無
【図４】の説明  ローターのＳポートが上部になった場合にストレスピストンが自重とＱのリターンスプリングによってＴポートのほうに下がる、その時Ｄ球はＯローターのＴポートから水槽Ａポート内に押しだされる。ストレスピストンが下に移動すると同時にＢポート内にあるＤ球が自重でＳポート内に自動的に入る
【図５】
2014141956.tif 000021
【符号の説明】［図１］を持ちえて説明する。
Ａ  ポート              Ｌ  水面下                  Ｗ  メンテナンスダンパー下
Ｂ  ポート              Ｍ  始動モーター            Ｘ  センターシャフト
Ｃ  水．海水            Ｎ  リターンポンプ          Ｙ  シスタンク
Ｄ  空気．（酸素）．ヘリュウムガスの球．  Ｏ  ローター  Ｚ  ベアリング
Ｅ  チエンベルト        Ｐ  トップ．回転軸  発電機接続  Ｐ１  下．回転軸
Ｐ２  Ｏローター取付軸  Ｆ  球．落下防止コントロールレバー
Ｑ  リターンスプリング
０１  シールハウジング
Ｇ  球．上昇コントロール．レバー  Ｒ  リターンパイプ  ０２  ストロングロット
Ｈ  水面  上部          Ｓ  ポート．上．            ０３  コントロールブラケット
Ｉ  シール防水          Ｔ  ポート  下              ０４  始動ギヤ
2014141956.tif 000022
Ｋ  ストレスピストン    Ｖ  メンテナンスダンパー上    ０６  リターンスプリング
０８  バッテリー        ０９  リレー                  ０７  メンテナンスブレーキ
１０  発電機            １１  フリーホイール          １２  ギヤ
１３  減速ギヤ
【手続補正３】
【補正対象書類名】図面
【補正対象項目名】全図
【補正方法】変更
【補正の内容】
【図１】
2014141956.tif 000023
【図２】
2014141956.tif 000024
【図３】
2014141956.tif 000025
【図４】
2014141956.tif 000026
【図５】
2014141956.tif 000027